(57)【要約】【課題】報知情報をタイムリーに送信でき、また、移動端末ユーザが必要な情報、サービスを提供することができる店舗情報提供システムを提供する。【解決手段】店舗情報提供システム１は、店舗端末３０は、報知を開始する位置である報知開始位置を有する報知情報３５ｂ−Ａ〜３５ｂ−Ｃを記憶する報知情報記憶部３５ｂと、店舗端末通信判定部３６ｂが移動端末２０との間の無線通信が確立したと判定した場合に、報知情報記憶部３５ｂの報知情報３５ｂ−Ａ〜３５ｂ−Ｃを、報知開始位置から報知を開始する形態で移動端末２０に向けて送信を開始する店舗端末制御部３６とを備え、移動端末２０は、店舗端末制御部３６が送信した報知情報３５ｂ−Ａ〜３５ｂ−Ｃを受信する移動端末制御部２６と、移動端末制御部２６が受信した報知情報３５ｂ−Ａ〜３５ｂ−Ｃを、報知開始位置から報知を始める移動端末表示部２３とを備える。【選択図】図１
2011039610.tif 000002
【特許請求の範囲】
【請求項１】
移動端末ユーザと一緒に移動する移動端末と、店舗に配置され前記移動端末との間で無線通信可能な店舗端末とを備えた店舗情報提供システムであって、
前記店舗端末は、
前記移動端末ユーザに対して報知する情報であり、その情報の報知を開始する位置である報知開始位置を有する報知情報を記憶する報知情報記憶部と、
前記移動端末との間の無線通信が確立したか否かを判定する店舗端末通信判定部と、
前記店舗端末通信判定部が前記移動端末との間の無線通信が確立したと判定した場合に、前記報知情報記憶部の前記報知情報を、前記報知開始位置から報知を開始する形態で前記移動端末に向けて送信を開始する店舗端末制御部とを備え、
前記移動端末は、
前記店舗端末制御部が送信した前記報知情報を受信する移動端末制御部と、
前記移動端末制御部が受信した前記報知情報を、前記報知開始位置から報知を始める報知部とを備えること、
を特徴とする店舗情報提供システム。
【請求項２】
請求項１に記載の店舗情報提供システムにおいて、
前記店舗端末との間で通信網を介して情報通信するサーバを備え、
前記移動端末制御部は、前記移動端末ユーザを識別するユーザ識別情報を前記店舗端末に送信し、
前記店舗端末制御部は、前記移動端末制御部から受信した前記ユーザ識別情報を、前記通信網を介して前記サーバに送信すること、
を特徴とする店舗情報提供システム。
【請求項３】
請求項２に記載の店舗情報提供システムにおいて、
前記サーバは、
前記ユーザ識別情報と、前記移動端末ユーザに関する情報であるユーザ関連情報とを関連付けて記憶するサーバ記憶部と、
前記店舗端末制御部から受信した前記ユーザ識別情報に基づいて、前記ユーザ関連情報を前記サーバ記憶部から読み出して、前記通信網を介して前記店舗端末に送信するサーバ制御部とを備えること、
を特徴とする店舗情報提供システム。
【請求項４】
請求項３に記載の店舗情報提供システムにおいて、
前記店舗端末は、前記サーバ制御部から受信した前記ユーザ関連情報に基づいて、前記報知情報記憶部の前記報知情報を抽出する抽出制御部を備え、
前記店舗端末制御部は、前記抽出制御部が抽出した前記報知情報を送信すること、
を特徴とする店舗情報提供システム。
【請求項５】
請求項３に記載の店舗情報提供システムにおいて、
前記店舗端末は、
前記移動端末制御部から受信した前記ユーザ識別情報と、前記サーバ制御部から受信した前記ユーザ関連情報を関連づけて記憶する受信情報記憶部と、
前記受信情報記憶部の前記ユーザ識別情報及び前記ユーザ関連情報に基づいて、前記ユーザ識別情報及びユーザ関連情報の受信履歴に関する情報を、前記店舗の管理者に報知する受信履歴報知部とを備えること、
を特徴とする店舗情報提供システム。
【請求項６】
請求項１に記載の店舗情報提供システムにおいて、
前記移動端末は、
前記移動端末ユーザを識別するユーザ識別情報と、前記移動端末ユーザに関する情報であるユーザ関連情報とを関連付けて記憶する移動端末記憶部を備え、
前記移動端末制御部は、前記移動端末記憶部の前記ユーザ識別情報とユーザ関連情報とを店舗端末に送信し、
前記店舗端末は、
前記移動端末制御部から受信した前記ユーザ関連情報に基づいて、前記報知情報記憶部の前記報知情報を抽出する抽出制御部を備え、
前記店舗端末制御部は、前記抽出制御部が抽出した前記報知情報を送信すること、
を特徴とする店舗情報提供システム。
【請求項７】
請求項１に記載の店舗情報提供システムにおいて、
前記移動端末制御部は、前記移動端末ユーザを識別するユーザ識別情報を前記店舗端末に送信し、
前記店舗端末は、
前記移動端末制御部から受信した前記ユーザ識別情報を記憶する受信情報記憶部と、
前記受信情報記憶部の前記ユーザ識別情報に基づいて、前記ユーザ識別情報の受信履歴に関する情報を前記店舗の管理者に報知する受信履歴報知部とを備えること、
を特徴とする店舗情報提供システム。
【請求項８】
請求項１に記載の店舗情報提供システムにおいて、
前記移動端末は、
前記移動端末ユーザを識別するユーザ識別情報と、前記移動端末ユーザに関する情報であるユーザ関連情報とを関連付けて記憶する移動端末記憶部を備え、
前記移動端末制御部は、前記移動端末記憶部の前記ユーザ識別情報とユーザ関連情報とを前記店舗端末に送信し、
前記店舗端末は、
前記移動端末記憶部から受信した前記ユーザ識別情報及び前記ユーザ関連情報を関連付けて記憶する受信情報記憶部と、
前記受信情報記憶部の前記ユーザ識別情報及び前記ユーザ関連情報に基づいて、前記ユーザ識別情報及び前記ユーザ関連情報の受信履歴に関する情報を、前記店舗の管理者に報知する受信履歴報知部とを備えること、
を特徴とする店舗情報提供システム。
【請求項９】
請求項１から請求項８までのいずれか１項に記載の店舗情報提供システムにおいて、
前記店舗は、ゲーム機が設置されており、
前記報知情報記憶部は、前記ゲーム機でプレイされるゲームに関する報知情報を記憶すること、
を特徴とする店舗情報提供システム。
【発明の詳細な説明】
【技術分野】
【０００１】
本発明は、店舗の報知情報を報知する店舗情報提供システムに関するものである。
【背景技術】
【０００２】
従来、店舗とは異なる場所に設置されたサーバに、店舗の広告等の店舗情報を記憶させて、携帯端末等に送信する広告情報提供システムがあった（例えば特許文献１）。
しかし、従来の広告情報提供システムは、店舗情報を変更するには、サーバの情報を更新しなければならず、タイムリーに店舗情報を送信することができなかった。また、どの携帯端末等に対しても一律に店舗情報を送信するので、ユーザにとって必要な情報が送信できているとは限らなかった。
【先行技術文献】
【特許文献】
【０００３】
【特許文献１】特開２００３−１４０５８４号公報
【発明の概要】
【発明が解決しようとする課題】
【０００４】
本発明の課題は、報知情報をタイムリーに送信でき、また、移動端末ユーザが必要な情報、サービスを提供することができる店舗情報提供システムを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
第１の発明は、移動端末ユーザと一緒に移動する移動端末（２０）と、店舗に配置され前記移動端末との間で無線通信可能な店舗端末（３０）とを備えた店舗情報提供システムであって、前記店舗端末は、前記移動端末ユーザに対して報知する情報であり、その情報の報知を開始する位置である報知開始位置を有する報知情報（３５ｂ−Ａ〜３５ｂ−Ｃ）を記憶する報知情報記憶部（３５ｂ）と、前記移動端末との間の無線通信が確立したか否かを判定する店舗端末通信判定部（３６ｂ）と、前記店舗端末通信判定部が前記移動端末との間の無線通信が確立したと判定した場合に、前記報知情報記憶部の前記報知情報を、前記報知開始位置から報知を開始する形態で前記移動端末に向けて送信を開始する店舗端末制御部（３６）とを備え、前記移動端末は、前記店舗端末制御部が送信した前記報知情報を受信する移動端末制御部（２６）と、前記移動端末制御部が受信した前記報知情報を、前記報知開始位置から報知を始める報知部（２３）とを備えること、を特徴とする店舗情報提供システムである。
第２の発明は、第１の発明の店舗情報提供システムにおいて、前記店舗端末（３０）との間で通信網（２）を介して情報通信するサーバ（５０）を備え、前記移動端末制御部（２６）は、前記移動端末ユーザを識別するユーザ識別情報を前記店舗端末に送信し、前記店舗端末制御部（３６）は、前記移動端末制御部から受信した前記ユーザ識別情報を、前記通信網を介して前記サーバに送信すること、を特徴とする店舗情報提供システムである。
第３の発明は、第２の発明の店舗情報提供システムにおいて、前記サーバ（５０）は、前記ユーザ識別情報（５５ｂ−１）と、前記移動端末ユーザに関する情報であるユーザ関連情報（５５ｂ−２）とを関連付けて記憶するサーバ記憶部（５５）と、前記店舗端末制御部（３６）から受信した前記ユーザ識別情報に基づいて、前記ユーザ関連情報（５５ｂ−７）を前記サーバ記憶部から読み出して、前記通信網（２）を介して前記店舗端末（３０）に送信するサーバ制御部（５６）とを備えること、を特徴とする店舗情報提供システムである。
第４の発明は、第３の発明の店舗情報提供システムにおいて、前記店舗端末（３０）は、前記サーバ制御部（５６）から受信した前記ユーザ関連情報（３５ａ−３）に基づいて、前記報知情報記憶部（３５ｂ）の前記報知情報（３５ｂ−Ａ〜３５ｂ−Ｃ）を抽出する抽出制御部（３６ｄ）を備え、前記店舗端末制御部（３６）は、前記抽出制御部が抽出した前記報知情報を送信すること、を特徴とする店舗情報提供システムである。
第５の発明は、第３の発明の店舗情報提供システムにおいて、前記店舗端末（３０）は、前記移動端末制御部（２６）から受信した前記ユーザ識別情報（３５ａ−１）と、前記サーバ制御部（５６）から受信した前記ユーザ関連情報（３５ａ−３）を関連づけて記憶する受信情報記憶部（３５ａ）と、前記受信情報記憶部の前記ユーザ識別情報及び前記ユーザ関連情報に基づいて、前記ユーザ識別情報及びユーザ関連情報の受信履歴に関する情報を、前記店舗の管理者に報知する受信履歴報知部（３３）とを備えること、を特徴とする店舗情報提供システムである。
【０００７】
第６の発明は、第１の発明の店舗情報提供システムにおいて、前記移動端末（２２０）は、前記移動端末ユーザを識別するユーザ識別情報（２１０ｂ−１）と、前記移動端末ユーザに関する情報であるユーザ関連情報（２１０ｂ−２）とを関連付けて記憶する移動端末記憶部（２１０）を備え、前記移動端末制御部（２２６）は、前記移動端末記憶部の前記ユーザ識別情報とユーザ関連情報とを店舗端末（２３０）に送信し、前記店舗端末は、前記移動端末制御部（２６）から受信した前記ユーザ関連情報（３５ａ−３）に基づいて、前記報知情報記憶部（３５ｂ）の前記報知情報（３５ｂ−Ａ〜３５ｂ−Ｃ）を抽出する抽出制御部（３６ｄ）を備え、前記店舗端末制御部（２３６）は、前記抽出制御部が抽出した前記報知情報を送信すること、を特徴とする店舗情報提供システムである。
第７の発明は、第１の発明の店舗情報提供システムにおいて、前記移動端末制御部（２６）は、前記移動端末ユーザを識別するユーザ識別情報を前記店舗端末（２３０）に送信し、前記店舗端末は、前記移動端末制御部から受信した前記ユーザ識別情報（３５ａ−１）を記憶する受信情報記憶部（３５ａ）と、前記受信情報記憶部の前記ユーザ識別情報に基づいて、前記ユーザ識別情報の受信履歴に関する情報を前記店舗の管理者に報知する受信履歴報知部（３３）とを備えること、を特徴とする店舗情報提供システムである。
第８の発明は、第１の発明の店舗情報提供システムにおいて、前記移動端末（２２０）は、前記移動端末ユーザを識別するユーザ識別情報と、前記移動端末ユーザに関する情報であるユーザ関連情報とを関連付けて記憶する移動端末記憶部（２１０）を備え、前記移動端末制御部（２６）は、前記移動端末記憶部の前記ユーザ識別情報とユーザ関連情報とを前記店舗端末（２３０）に送信し、前記店舗端末は、前記移動端末記憶部から受信した前記ユーザ識別情報（３５ａ−１）及び前記ユーザ関連情報（３５ａ−３）を関連付けて記憶する受信情報記憶部と、前記受信情報記憶部の前記ユーザ識別情報及び前記ユーザ関連情報に基づいて、前記ユーザ識別情報及び前記ユーザ関連情報の受信履歴に関する情報を、前記店舗の管理者に報知する受信履歴報知部（３３）とを備えること、を特徴とする店舗情報提供システムである。
第９の発明は、第１から第８までのいずれかの発明の店舗情報提供システムにおいて、前記店舗は、ゲーム機（４１〜４３）が設置されており、前記報知情報記憶部（３５ｂ）は、前記ゲーム機でプレイされるゲームに関する報知情報（３５ｂ−Ａ〜３５ｂ−Ｃ）を記憶すること、を特徴とする店舗情報提供システムである。
【発明の効果】
【０００８】
本発明によれば、以下の効果を奏することができる。
（１）本発明は、店舗端末が移動端末との無線通信が確立したきに、報知情報を報知開始位置から報知開始する形態で移動端末に向けて送信を開始するので、移動端末ユーザに報知情報を初めから報知することができる。また、例えばアドホックモードを利用することにより、サーバ等がなくても店舗端末と移動端末のみで、報知情報を通信できる。さらに、店舗で報知情報を更新、管理等を行うことができるので、タイムリーな報知情報を通信することができる。さらにまた、通信範囲を無線通信の通信可能範囲に限定できるので、移動端末ユーザが店舗の周辺にいるときにのみ報知情報を送信することができる。
（２）本発明は、店舗端末との間で通信網を介して情報通信し、ユーザ識別情報と、ユーザ関連情報とを関連付けて記憶するサーバを備えるので、サーバ側の管理者等は、移動端末ユーザがどの店舗の周辺にいるかを把握することができる。
【０００９】
（３）本発明は、サーバがユーザ関連情報を店舗端末に送信するので、例えば、店舗の管理者は、ユーザ関連情報を利用して、店舗で提供する報知情報、サービス等の参考にすることができる。
（４）本発明は、店舗端末がユーザ関連情報に基づいて、報知情報を抽出して移動端末に送信するので、移動端末のユーザが興味のある報知情報等を、移動端末のユーザに送信することができる。
【００１０】
（５）本発明は、サーバがユーザ関連情報を店舗端末に送信するので、店舗側は、どのようなユーザ関連情報を有する移動端末ユーザが店舗周辺を移動しているかを把握することができ、例えば、これらの情報を、店舗で提供する報知情報やサービスの参考にすることができる。
（６）本発明は、移動端末がユーザ関連情報を記憶し店舗端末に送信するので、サーバを設けなくても、上記（４）と同様な効果を奏することができる。
【００１１】
（７）本発明は、移動端末制御部がユーザ識別情報を店舗端末に送信するので、店舗側は、どの移動端末ユーザが店舗周辺を移動しているかを把握することができる。
（８）本発明は、移動端末がユーザ関連情報を記憶し店舗端末に送信するので、サーバを設けなくても、上記（５）と同様な効果を奏することができる。
【図面の簡単な説明】
【００１２】
【図１】第１実施形態の店舗情報提供システム１のブロック図である。
【図２】第１実施形態の受信情報記憶部３５ａ、報知情報記憶部３５ｂ及びプレイヤ関連情報記憶部５５ｂの記憶情報を示す表である。
【図３】第１実施形態の店舗情報提供システム１の処理を示すフローチャートである。
【図４】第２施形態の店舗情報提供システム２０１のブロック図である。
【図５】第２実施形態の受信情報記憶部３５ａ、報知情報記憶部３５ｂ及びプレイヤＩＤ００１のプレイヤ関連情報記憶部２１０ｂの記憶情報を示す表である。
【図６】第２実施形態の店舗情報提供システム２０１の処理を示すフローチャートである。
【発明を実施するための形態】
【００１３】
（第１実施形態）
以下、図面等を参照して、本発明の第１実施形態について説明する。
図１は、第１実施形態の店舗情報提供システム１のブロック図である。
図２は、第１実施形態の受信情報記憶部３５ａ、報知情報記憶部３５ｂ及びプレイヤ関連情報記憶部５５ｂの記憶情報を示す表である。
図１に示すように、店舗情報提供システム１は、ＩＤカード１０と、移動端末２０と、店舗端末３０と、サーバ５０とを備えている。
なお、図１には、１台のサーバ５０に対して、１台の店舗端末３０及び移動端末２０を図示するが、実際には、１台のサーバ５０に対して複数の店舗に配置された複数の店舗端末３０が、インタネット等の通信網２を介して情報通信し、各店舗端末３０に対して複数のプレイヤが所持する複数の移動端末２０が、無線によって通信可能である。店舗端末３０と移動端末２０との間は、例えばアドホックモードを利用して、数十ｍ程度の範囲で双方向の通信が可能である。
また、店舗端末３０を設置した店舗でのプレイ履歴の有無に関わらず、移動端末のユーザをプレイヤと称して以下説明するが、これは、この店舗情報提供システム１を利用するユーザが、いずれかの店舗のゲーム機でのプレイをしたことがあることを前提としているためである。
【００１４】
ＩＤカード１０は、各プレイヤがそれぞれ所持するカードである。ＩＤカード１０は、半導体メモリ等の記憶装置（記憶部）を備えたＲＦＩＤタグが内蔵されている。この記憶装置には、プレイヤを識別するプレイヤＩＤ（ユーザ識別情報）を記憶する記憶領域であるプレイヤＩＤ記憶部１０ａを備えている。ＩＤカード１０は、通常は、プレイヤがゲーム機でプレイするとき、ゲーム機の挿入口に挿入され、ゲーム機の読み取り装置（図示せず）がプレイヤＩＤを読み取るようになっている。
【００１５】
移動端末２０は、プレイヤと一緒に移動可能であり、店舗端末３０との間でアドホックモード等を利用して無線で情報通信可能な情報通信端末である。移動端末２０は、例えば、プレイヤが携行可能な携帯電話機、ノート型パーソナルコンピュータや、プレイヤが運転する自動車に装備されたカーナビゲーション等である。
移動端末２０は、カードリーダ２１と、移動端末操作部２２と、移動端末表示部２３（報知部）と、移動端末通信部２４と、移動端末記憶部２５と、移動端末制御部２６とを備えている。
【００１６】
カードリーダ２１は、ＩＤカード１０が挿入されることによって、ＩＤカード１０のプレイヤＩＤを読み取る読み取り装置である。
移動端末操作部２２は、プレイヤが移動端末２０を操作するための入力装置であり、例えば、キーボード、テンキー、タッチパネル等である。
移動端末表示部２３は、後述する報知情報を表示する表示装置であり、例えば液晶表示装置である。
移動端末通信部２４は、店舗端末３０との間で情報通信するための装置であり、例えば、通信回路、アンテナ等を備えている。
【００１７】
移動端末記憶部２５は、移動端末２０の動作に必要なプログラム、情報等を記憶するためのハードディスク、半導体メモリ素子等の記憶装置である。移動端末記憶部２５は、プレイヤＩＤ記憶部２５ａを備えている。
プレイヤＩＤ記憶部２５ａは、カードリーダ２１がＩＤカード１０から読み取ったプレイヤＩＤを記憶する記憶領域である。
なお、移動端末２０は、プレイヤＩＤをプレイヤＩＤ記憶部２５ａに記憶せずに、プレイヤＩＤを必要とする処理をするときに、プレイヤＩＤをＩＤカード１０から適宜読み取ってもよい。また、本実施形態では、移動端末２０は、ＩＤカード１０からプレイヤＩＤを読み取る例を説明するが、移動端末２０がプレイヤＩＤを取得できれば、どのような構成でもよい。例えば、プレイヤが移動端末操作部２２を操作してプレイヤＩＤを入力してもよい。
【００１８】
移動端末制御部２６は、移動端末２０を統括的に制御するための制御部であり、例えば、ＣＰＵ（中央処理装置）等から構成される。移動端末制御部２６は、移動端末記憶部２５に記憶された各種プログラムを適宜読み出して実行することにより、前述したハードウェアと協働し、本発明に係る各種機能を実現している。移動端末制御部２６は、移動端末通信制御部２６ａと、移動端末通信判定部２６ｂとを備えている。
【００１９】
移動端末通信制御部２６ａは、移動端末通信部２４を制御して、店舗端末３０との間で情報通信する制御部である。
移動端末通信判定部２６ｂは、店舗端末３０との間で無線による情報通信が確立したか否かを判定する制御部である。
移動端末制御部２６の処理の詳細は、後述する。
【００２０】
店舗端末３０は、ゲームセンタ等の店舗に設置されるコンピュータであり、店舗に関する各種管理をする。店舗端末３０は、店舗内に設置されているゲーム機４１〜４３との間をＬＡＮケーブル等によって接続されている。店舗端末３０は、プレイヤがＩＤカードを利用して各ゲーム機４１〜４３でプレイする毎に、プレイヤＩＤやプレイ結果等の情報を受信して、これらの情報を、サーバ５０に送信するようになっている。
店舗端末３０は、店舗端末操作部３２と、店舗端末表示部３３（受信履歴報知部）と、店舗端末通信部３４と、店舗端末記憶部３５と、店舗端末制御部３６とを備えている。
【００２１】
店舗端末操作部３２は、店舗端末３０を操作するための入力装置であり、例えば、キーボード、テンキー等である。
店舗端末表示部３３は、後述するように、プレイヤＩＤの受信履歴等を表示する表示装置であり、例えば液晶表示装置である。
店舗端末通信部３４は、移動端末２０との間で無線で情報通信し、また、サーバ５０との間で通信網２を介して情報通信するための装置であり、例えば、通信回路、アンテナ等を備えている。
【００２２】
店舗端末記憶部３５は、店舗端末３０の動作に必要なプログラム、情報等を記憶するためのハードディスク、半導体メモリ素子等の記憶装置である。店舗端末記憶部３５は、受信情報記憶部３５ａと、報知情報記憶部３５ｂとを備えている。
図２（ａ）に示すように、受信情報記憶部３５ａは、移動端末２０と通信が確立したプレイヤＩＤ３５ａ−１と、そのプレイヤ関連情報３５ａ−３とを関連づけて記憶する記憶部である。この例では、受信情報記憶部３５ａは、プレイヤ関連情報３５ａ−３として、プレイヤＩＤ００１〜００４と、その受信日時３５ａ−２と、各プレイヤがプレイしたことのあるゲームタイトルＡ〜Ｄとを関連付けて記憶している。
【００２３】
図２（ｂ）に示すように、報知情報記憶部３５ｂは、ゲームタイトルＡ〜Ｃの報知情報３５ｂ−Ａ〜３５ｂ−Ｃを記憶する記憶領域である。報知情報３５ｂ−Ａ〜３５ｂ−Ｃは、移動端末２０を所有するプレイヤに対して報知する広告に関する情報である。報知情報３５ｂ−Ａ〜３５ｂ−Ｃは、その情報の報知を開始する位置である報知開始位置を有する情報である。報知開始位置は、例えば、報知情報が動画情報であれば、動画再生を開始する位置であり、報知情報が音声情報であれば、音声再生を開始する位置であり、また、報知情報がＷＥＢページであれば、トップページである。本実施形態では、報知情報記憶部３５ｂは、報知情報３５ｂ−Ａ〜３５ｂ−Ｃとして動画情報を記憶している。
【００２４】
店舗端末記憶部３５は、この店舗に配置されているゲーム機４１〜４３の情報と、各ゲーム機４１〜４３に対応したゲームタイトルＡ〜Ｃの報知情報３５ｂ−Ａ〜３５ｂ−Ｃとを関連付けて記憶している。つまり、ゲーム機４１〜４３は、ゲームタイトルＡ〜Ｃをそれぞれプレイ可能なゲーム機であり、店舗端末記憶部３５は、これらのゲームタイトルＡ〜Ｃの報知情報３５ｂ−Ａ〜３５ｂ−Ｃを記憶している。
例えば、ゲーム機４１に関連付けられた報知情報３５ｂ−Ａは、報知開始位置に「ゲームＡ新台入荷」という映像を表示し、その次にプレイ画面の映像、キャラクタの映像を順に表示するような動画情報である。
【００２５】
このように、店舗情報提供システム１は、店舗端末３０に報知情報を記憶することにより、サーバ５０を介することなく、店舗で報知情報を更新、管理等を行うことができるので、タイムリーな報知情報を、移動端末２０に通信することができる。
【００２６】
図１に示すように、店舗端末制御部３６は、店舗端末３０を統括的に制御するための制御部であり、例えば、ＣＰＵ等から構成される。店舗端末制御部３６は、店舗端末記憶部３５に記憶された各種プログラムを適宜読み出して実行することにより、前述したハードウェアと協働し、本発明に係る各種機能を実現している。店舗端末制御部３６は、店舗端末通信制御部３６ａと、店舗端末通信判定部３６ｂと、抽出制御部３６ｃとを備えている。
【００２７】
店舗端末通信制御部３６ａは、店舗端末通信部３４を制御して、移動端末２０、サーバ５０との間で情報通信する制御部である。
店舗端末通信判定部３６ｂは、移動端末２０との間の無線通信が確立したか否かを判定する制御部である。
抽出制御部３６ｃは、移動端末２０に送信する報知情報を、報知情報記憶部３５ｂから抽出する制御部である。
店舗端末制御部３６の処理の詳細は、後述する。
【００２８】
サーバ５０は、店舗情報提供システム１を統括的に管理するコンピュータである。サーバ５０は、サーバ通信部５４と、サーバ記憶部５５と、サーバ制御部５６とを備えている。
サーバ通信部５４は、店舗端末３０との間で通信網２を介して情報通信するための装置であり、例えば通信回路等を備えている。
【００２９】
サーバ記憶部５５は、サーバ５０の動作に必要なプログラム、情報等を記憶するためのハードディスク、半導体メモリ素子等の記憶装置である。サーバ記憶部５５は、プレイヤＩＤ記憶部５５ａと、プレイヤ関連情報記憶部５５ｂとを備えている。
プレイヤＩＤ記憶部５５ａは、プレイヤＩＤを記憶する記憶領域である。
図２（ｃ）に示すように、プレイヤ関連情報記憶部５５ｂは、プレイヤＩＤ記憶部５５ａのプレイヤＩＤ５５ｂ−２と、そのプレイヤに関するプレイ履歴の情報であるプレイヤ関連情報５５ｂ−１（ユーザ関連情報）とを関連付けて記憶する記憶領域である。プレイヤ関連情報５５ｂ−１は、ゲームタイトル５５ｂ−３、プレイされた店舗名５５ｂ−４、プレイ日時５５ｂ−５が関連付けられている。
例えば、行５５ｂ−６には、プレイヤＩＤ００１のプレイヤが、ゲームタイトルＡのゲームを、新宿ゲームセンタで、２００８年６月３日１８:００〜１８:２０の間、プレイしたというプレイヤ関連情報が記憶されている。プレイヤ関連情報記憶部５５ｂは、プレイヤＩＤ００２以降のプレイヤについても、同様な形態でプレイヤ関連情報を記憶している（図示は省略する）。
【００３０】
サーバ制御部５６は、サーバ５０を統括的に制御するための制御部であり、例えば、ＣＰＵ等から構成される。サーバ制御部５６は、サーバ記憶部５５に記憶された各種プログラムを適宜読み出して実行することにより、前述したハードウェアと協働し、本発明に係る各種機能を実現している。サーバ制御部５６は、サーバ通信制御部５６ａと、プレイヤ関連情報管理部５６ｂとを備えている。
【００３１】
サーバ通信制御部５６ａは、サーバ通信部５４を制御して、店舗端末３０との間で情報通信する制御部である。
プレイヤ関連情報管理部５６ｂは、プレイヤ関連情報記憶部５５ｂの情報を管理する制御部である。なお、店舗情報提供システム１は、プレイヤがＩＤカードを利用してプレイする毎に、ゲームタイトルと、ＩＤ情報と、店舗名、プレイ日時の情報とが、プレイヤがプレイしている店舗端末からサーバ５０へと送信されるようになっている。プレイヤ関連情報管理部５６ｂは、プレイヤ関連情報記憶部５５ｂに、これらの情報を蓄積していく。
サーバ制御部５６の処理の詳細は、後述する。
【００３２】
図３は、第１実施形態のシステム１の処理を示すフローチャートである。
なお、この店舗情報提供システム１の前提として、プレイヤが移動端末２０と一緒に移動しており、店舗端末通信判定部３６ｂ及び移動端末通信判定部は、店舗端末３０及び移動端末２０の間で、無線による情報通信が確立しているかを常に判断している。そして、プレイヤが移動端末２０と一緒に移動して、無線の到達エリア（例えば店舗から数十ｍ程度）以内に入ると、店舗端末３０及び移動端末２０の間で、無線通信が可能になるものとする。
また、ここでは、プレイヤＩＤ００１のプレイヤが移動端末２０と一緒に移動した場合の処理を説明する。
【００３３】
（報知情報送信処理）
最初に、ステップＳ（以下、単に「Ｓ」という）１，Ｓ２において、店舗端末通信判定部３６ｂ、移動端末通信判定部２６ｂは、店舗端末３０及び移動端末２０の間の情報通信が確立したと判定した場合には（Ｓ１：ＹＥＳ，Ｓ２：ＹＥＳ）、Ｓ３，Ｓ４に進み、一方、情報通信が確立していないと判定した場合には（Ｓ１：ＮＯ，Ｓ２：ＮＯ）、情報通信が確立するまで、Ｓ１，Ｓ２の処理を繰り返す。
Ｓ３において、店舗端末通信制御部３６ａは、プレイヤＩＤを移動端末２０に要求する。
Ｓ４において、移動端末制御部２６は、プレイヤＩＤ記憶部２５ａからプレイヤＩＤ００１を読み出して、店舗端末３０に送信する。
【００３４】
Ｓ５において、店舗端末通信制御部３６ａは、移動端末通信制御部２６ａから受信したプレイヤＩＤ００１を、通信網２を介してサーバ５０に送信する。
Ｓ６において、サーバ通信制御部５６ａがプレイヤＩＤを受信すると、サーバ制御部５６がそのプレイヤＩＤ００１に基づいて、プレイヤ関連情報５５ｂ−２をサーバ記憶部５５から読み出して、サーバ通信制御部５６ａがそのプレイヤ関連情報５５ｂ−２を通信網２を介して店舗端末３０に送信する。この例では、図２（ｃ）に示すように、サーバ通信制御部５６ａは、プレイヤ関連情報５５ｂ−２のうちプレイヤＩＤ００１に関連するプレイヤ関連情報５５ｂ−７を、店舗端末３０に送信する。サーバ通信制御部５６ａがプレイヤ関連情報５５ｂ−７を店舗端末３０に送信すると、サーバ制御部５６は、サーバ５０側の処理を終了する。
【００３５】
Ｓ７において、店舗端末通信制御部３６ａがサーバ通信制御部５６ａからプレイヤ関連情報５５ｂ−７を受信すると、店舗端末制御部３６は、Ｓ５で移動端末通信制御部２６ａから受信したプレイヤＩＤ００１と、プレイヤ関連情報５５ｂ−７とを関連付けて、受信情報記憶部３５ａに記憶する。
図２（ａ）に示す行３５ａ−４のように、この処理では、プレイヤＩＤ００１と、プレイヤＩＤ００１を受信した日時である２００８年６月４日１８時００分とを関連付けて記憶し、さらに、これらの情報と、プレイヤ関連情報５５ｂ−７のゲームタイトルＡ，Ｂの情報（つまり、プレイヤ関連情報５５ｂ−７からゲームタイトル５５ｂ−３を抜き出した情報）とを関連付けて記憶している。
【００３６】
図３に戻り、Ｓ８において、抽出制御部３６ｃは、プレイヤ関連情報３５ａ−３のゲームタイトルＡ，Ｂの情報に基づいて、報知情報記憶部３５ｂの報知情報を抽出する。
図２（ｂ）に示すように、この処理では、抽出制御部３６ｃは、報知情報３５ｂ−Ａ〜３５ｂ−Ｃのうち、ゲームタイトルＡ，Ｂの報知情報３５ｂ−Ａ，３５ｂ−Ｂを抽出する。
【００３７】
図３に戻り、Ｓ９において、店舗端末通信制御部３６ａは、抽出制御部３６ｃが抽出したゲームタイトルＡ，Ｂの報知情報３５ｂ−Ａ，３５ｂ−Ｂを移動端末２０に送信する。店舗端末通信制御部３６ａは、ゲームタイトルＡ，Ｂの報知情報３５ｂ−Ａ，３５ｂ−Ｂを、報知開始位置から報知を開始する形態で移動端末２０に向けて送信を開始する。本実施形態では、報知情報３５ｂ−Ａ，３５ｂ−Ｂが動画情報であり、報知情報３５ｂ−Ａから報知情報３５ｂ−Ｂの順番で報知するので、店舗端末通信制御部３６ａは、報知情報３５ｂ−Ａをその動画の再生開始位置から開始し、報知情報３５ｂ−Ａの報知が終了すると、続いて、報知情報３５ｂ−Ｂをその動画の報知開始位置から開始するような形態の情報を送信する。
【００３８】
Ｓ１０において、移動端末通信制御部２６ａが報知情報３５ｂ−Ａ，３５ｂ−Ｂの受信を開始すると、移動端末制御部２６は、ゲームタイトルＡの報知情報３５ｂ−Ａ，３５ｂ−Ｂをその動画の報知開始位置から、移動端末表示部２３に表示（報知）を始める。
【００３９】
このように、店舗情報提供システム１は、プレイヤに報知情報を報知開始位置から報知することができるので、報知情報をもれなくプレイヤに伝達することができる。また、店舗情報提供システム１は、プレイヤがこの店舗でのプレイ履歴があるか否かに関わらず、店舗端末３０及び移動端末２０が通信可能な通信可能になったとき、つまりプレイヤが店舗の周辺に近づいたときに、報知情報を送信することができる。さらに、店舗端末３０は、ゲームタイトルＡ，Ｂをしたことのあるプレイヤに対して、ゲームタイトルＡ，Ｂの報知情報３５ｂ−Ａ，３５ｂ−Ｂを報知することができるので、プレイヤが興味を持っていたり、欲しい情報を提供することができる。
【００４０】
この例では、新宿、海老名のゲームセンタでゲームタイトルＡ，Ｂのプレイ履歴があるプレイヤＩＤ００１のプレイヤが、例えば、新宿、海老名とは異なる地域であり、店舗端末３０が設置してある店舗があるＺ町に移動し、店舗端末３０から数十ｍ程度の範囲に近づいたときに、店舗情報提供システム１は、プレイヤＩＤ００１の移動端末２０に、ゲームタイトルＡ，Ｂの報知情報３５ｂ−Ａ，３５ｂ−Ｂを報知することができる。これによって、このプレイヤは、店舗に近づくだけで、プレイをしたいと思っているゲームタイトルＡ，Ｂのゲーム機がその店舗に設置しあるという情報を確認することができるし、一方、店舗の管理者は、このプレイヤがＺ町を訪れてたまたま店舗の近くを通っただけであっても、報知情報３５ｂ−Ａ，３５ｂ−Ｂを報知して、このプレイヤを店舗へと導くことができる。
【００４１】
Ｓ１１，Ｓ１２において、店舗端末通信判定部３６ｂ，移動端末通信判定部２６ｂは、プレイヤが店舗から離れる等によって、店舗端末３０及び移動端末２０の間の情報通信が中断したか否か判定する。店舗端末通信判定部３６ｂ，店舗端末３０及び移動端末２０の間の情報通信が中断したと判定した場合には（Ｓ１１：ＹＥＳ，Ｓ１２：ＹＥＳ）、Ｓ１３，Ｓ１４に進み、一方、情報通信が中断していないと判定した場合には（Ｓ１１：ＮＯ，Ｓ１２：ＮＯ）、情報通信が中断するまで、報知情報３５ｂ−Ａ，３５ｂ−Ｂの表示を続ける。なお、ゲームタイトルＢの報知情報３５ｂ−Ｂの最後まで表示した後は、報知を終了してもよいし、異なる報知情報３５ｂ−Ｃを報知してもよいし、報知情報３５ｂ−Ａ，３５ｂ−Ｂを再び表示してもよい。
【００４２】
報知情報３５ｂ−Ｃを報知する場合には、店舗端末通信部３４が、ゲームタイトルＣの報知情報３５ｂ−Ｃを移動端末２０に送信し、移動端末通信制御部２６ａがその報知情報３５ｂ−Ｃを受信し、移動端末制御部２６が移動端末表示部２３に表示すればよい。
ゲームタイトルＡ，Ｂの報知情報３５ｂ−Ａ，３５ｂ−Ｂを再び表示する場合には、移動端末２０が移動端末記憶部２５に報知情報３５ｂ−Ａ，３５ｂ−Ｂを記憶しておき、これを繰り返し表示してもよいし、又は、店舗端末通信部３４が報知情報３５ｂ−Ａ，３５ｂ−Ｂを、移動端末２０に再び送信してもよい。
【００４３】
Ｓ１３において、店舗端末通信制御部３６ａは、報知情報３５ｂ−Ａ，３５ｂ−Ｂの送信を終了し、店舗端末３０側の処理を終了する。
Ｓ１４において、移動端末制御部２６は、報知情報３５ｂ−Ａ，３５ｂ−Ｂの表示を終了し、移動端末２０側の処理を終了する。
これによって、店舗情報提供システム１は、プレイヤが店舗から離れて、無線通信可能な範囲外に移動したときには、自動的に報知を終了できるので、プレイヤが店舗の周辺にいるときにのみ報知情報を送信することができる。
【００４４】
（受信履歴報知処理）
店舗情報提供システム１の店舗端末制御部３６は、店舗端末３０及び移動端末２０の無線通信が確立する毎に、図３の処理を行う。図２（ａ）に示す例では、店舗端末３０の受信情報記憶部３５ａには、プレイヤＩＤ３５ａ−１と、各プレイヤＩＤ００１〜００４の受信日時３５ａ−２に関する情報とが記憶され、これらの情報と、プレイヤ関連情報３５ｂ−３のゲームタイトルとが関連付けて記憶されている。
店舗の管理者によって店舗端末操作部３２が操作されると、店舗端末制御部３６は、受信情報記憶部３５ａの情報に基づいて、プレイヤＩＤの受信履歴に関する情報を、図２（ａ）に示す表示の形態で、店舗端末表示部３３に表示して店舗の管理者に報知する。
【００４５】
これによって、店舗情報提供システム１は、例えば、プレイヤがどの程度の頻度で、店舗の周辺を移動しているのかの情報を、店舗の管理者に提供することができる。
また、店舗の管理者は、どのようなプレイ履歴を有するプレイヤが店舗周辺を移動しているかを把握することができ、例えば、報知情報を更新する場合や、提供するサービス（例えば、ゲーム機を買い替える場合の機種の選定等）の参考にすることができる。
図２（ａ）に示す例では、店舗の管理者は、プレイヤＩＤ００１〜００４のプレイヤが、２００８年６月上旬の夕刻に店舗の周辺を移動していることを把握することができる。プレイヤＩＤ００２，００４のプレイヤは、ゲームタイトルＤのプレイ履歴があるが、この店舗には、このタイトルのゲームはない。このため、店舗の管理者は、次に購入するゲーム機を、ゲームタイトルＤのものを購入する等と、検討することができる。
【００４６】
（第２実施形態）
次に、本発明を適用した店舗情報提供システムの第２実施形態について説明する。
第２実施形態の店舗情報提供システム２０１は、サーバを備えずに、第１実施形態と同様な機能を奏することができるように、構成されたものである。
なお、以下の説明及び図面において、前述した第１実施形態と同様の機能を果たす部分、処理には、同一の符号又は末尾に同一の符号を付して、重複する説明を適宜省略する。
図４は、第２施形態の店舗情報提供システム２０１のブロック図である。
図５は、第２実施形態の受信情報記憶部３５ａ、報知情報記憶部３５ｂ及びプレイヤＩＤ００１のプレイヤ関連情報記憶部２１０ｂの記憶情報を示す表である。
【００４７】
図４に示すように、ＩＤカード２１０は、プレイヤ関連情報記憶部２１０ｂを備えるＲＦＩＤタグを備えている。
図５（ｃ）に示すように、プレイヤ関連情報記憶部２１０ｂは、このＩＤカード２１０のプレイヤＩＤ２１０ｂと、そのプレイヤＩＤ２１０ｂのプレイヤのプレイヤ関連情報２１０ｂ−２とを関連付けて記憶する。つまり、第１実施形態では、プレイ結果等の情報は、ゲーム機から店舗端末３０に送信され、店舗端末３０からサーバ５０に送信され、サーバ記憶部５５に記憶されていくのに対して、第２実施形態では、ゲーム機から店舗端末２３０に送信され、店舗端末２３０から移動端末２２０に送信され、移動端末２２０がＩＤカード２１０に記憶していくようになっている。
【００４８】
図４に示すように、移動端末２２０は、カードリーダライタ２２１と、移動端末記憶部２２５と、移動端末制御部２２６を備えている。
カードリーダライタ２２１は、ＩＤカード２１０が挿入されることによって、ＩＤカード２１０のプレイヤＩＤ２１０ｂを読み取ったり、プレイヤ関連情報を更新する装置である。
移動端末記憶部２２５は、プレイヤ関連情報記憶部２２５ｂを備えている。
プレイヤ関連情報記憶部２２５ｂは、カードリーダライタ２２１がＩＤカード２１０から読み取ったプレイヤ関連情報を記憶する。なお、移動端末２２０は、プレイヤ関連情報記憶部２２５ｂを備えずに、プレイヤＩＤを必要とする処理をするときに、プレイヤ関連情報をＩＤカード２１０から適宜読み取ってもよい。
移動端末制御部２２６は、プレイヤ関連情報管理部２２６ｃを備えている。
プレイヤ関連情報管理部２２６ｃは、ＩＤカード２１０のプレイヤ関連情報記憶部２１０ｂの情報を管理する制御部である。
【００４９】
図６は、第２実施形態の店舗情報提供システム２０１の処理を示すフローチャートである。
Ｓ１〜Ｓ３の処理は、第１実施形態と同様である。
Ｓ２０４において、移動端末制御部２２６は、移動端末記憶部２２５のユーザ識別情報及びユーザ関連情報を店舗端末２３０に送信する。
Ｓ２０７において、店舗端末通信制御部２３６ａがプレイヤＩＤ及びプレイヤ関連情報を受信すると、店舗端末制御部２３６は、プレイヤＩＤ００１と、プレイヤ関連情報とを関連付けて、受信情報記憶部３５ａに記憶する。
Ｓ８〜Ｓ１４の処理は、第１実施形態と同様である。
【００５０】
店舗情報提供システム２０１の店舗端末制御部２３６は、店舗端末２３０及び移動端末２２０の無線通信が確立する毎に、この処理を行う。これにより、図５（ａ）に示すように、店舗端末２３０の受信情報記憶部３５ａには、複数のプレイヤＩＤと、各プレイヤＩＤの受信日時に関する情報とが記憶され、これらの情報と、プレイヤ関連情報２１０ｂのうちゲームタイトルＡ〜Ｃとが関連付けて記憶される。これは、第１実施形態の受信情報記憶部３５ａと同様である（図２（ａ）参照）。
そして、店舗端末制御部２３６は、第１実施形態と同様に、プレイヤＩＤの受信履歴に関する情報を、図５（ａ）に示す表示の形態で、店舗端末表示部３３に表示して店舗の管理者に報知することができる。
【００５１】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５２】
（変形形態）
実施形態において、店舗端末通信制御部は、報知情報をゲームタイトルＡからゲームタイトルＢ順で送信する例を示したが、これに限定されない。例えば、店舗端末通信制御部は、抽出制御部にプレイヤ履歴情報を分析させて、ゲームタイトルのプレイ回数が多いのでゲームタイトルの報知情報から先に報知するようにしてもよい。又は、店舗端末通信制御部は、抽出制御部にプレイヤ履歴情報を分析させて、プレイ日時が最近のゲームタイトルの報知情報から送信するようにしてもよい。
これによって、店舗情報提供システム２０１は、プレイヤにとってより必要な情報を提供することができる。
【符号の説明】
【００５３】
１，２０１…店舗情報提供システム    ２…通信網    １０，２１０…ＩＤカード    ２０，２２０…移動端末    ２１…カードリーダ    ２３…移動端末表示部２５，２２５…移動端末記憶部    ２５ａ…プレイヤＩＤ記憶部    ２６，２２６…移動端末制御部    ２６ａ…移動端末通信制御部    ２６ｂ…移動端末通信判定部    ３０，２３０…店舗端末    ３３…店舗端末表示部    ３５…店舗端末記憶部    ３５ａ…受信情報記憶部    ３５ｂ…報知情報記憶部    ３６，２３６…店舗端末制御部    ３６ａ，２３６ａ…店舗端末通信制御部    ３６ｂ…店舗端末通信判定部    ３６ｃ…抽出制御部    ５０…サーバ    ５４…サーバ通信部    ５５…サーバ記憶部    ５５ａ…プレイヤＩＤ記憶部    ５５ｂ…プレイヤ関連情報記憶部    ５６…サーバ制御部    ２１０ｂ…プレイヤ関連情報記憶部    ２２１…カードリーダライタ    ２２５ｂ…プレイヤ関連情報記憶部    ２２６ｃ…プレイヤ関連情報管理部
【図１】
2011039610.tif 000003
【図２】
2011039610.tif 000004
【図３】
2011039610.tif 000005
【図４】
2011039610.tif 000006
【図５】
2011039610.tif 000007
【図６】
2011039610.tif 000008